(57)【特許請求の範囲】
【請求項１】
道路側部傾斜面または河川の堤防などの前面に配設した控壁を有する擁壁ブロックの壁体を有する閉空間内に植物の根元株の植栽域を確保して該植栽域に隣接して透水シートからなる袋体を配設し、該袋体内全域に吸水性ポリマー粒子を分散配置する３次元網状体あるいは連続空隙を有する発泡体からなる芯材を装着し、該芯材の３次元網状体内あるいは発泡体の連続空隙内に吸水性ポリマー粒子を分散配置してユニット体としたことを特徴とする植栽の保水構造体。
【請求項２】
ユニット体は、マット状体またはブロック状体に形成されて擁壁ブロックの壁体を有する閉空間の該壁体の一壁面と対偶する他の壁面に配設されていることを特徴とする請求項１記載の植栽の保水構造体。
【発明の詳細な説明】
【０００１】
【発明の属する技術分野】
本発明は、道路に沿って植栽されている街路樹、高速道路の脇の擁壁面に植栽されている修景用の樹木、或いは花木や緑化用の樹木などの灌水に関する。
【０００２】
【従来の技術】
従来、道路に沿って植栽されている街路樹、分離帯に植栽されている樹木や高速道路の脇の擁壁面に植栽されている修景用の樹木、或いは歩道の緑化にコンテナーやポットやバスケットで植栽されている樹木は、自然の降雨で生育可能な乾燥に強いものが選ばれたり、或いは、植栽する土壌に十分な堆肥を入れたり、パーライトやバーミキュライトなどの土壌改良材を混入し、保水性を良好にして植えられている。しかし、それでも長期間降雨がなく乾燥が続いたり、盛夏には、乾燥のため樹木や草花が萎れる。このため、都会の歩道脇の植栽などではその根元に自動給水ホースを敷設しているものもあるが、大部分の植栽に対しては、給水車などを出してそれぞれの植栽に給水してまわる必要があり、植栽の維持に多大の労力と費用がかかる。さらに、公園や家庭など景観を重んじて最近はコンテナーやバスケットなどの限られた容積内に植栽する場合が増えている。このような容積の限られたコンテナーやバスケットなどは大地に直接植えられているものに比してさらに容器内の土壌の乾燥が植栽にダメージを与えるので、より細やかな管理が求められ、管理者や家庭の主婦に一層の負担となっている。そこで、最近は吸水性ポリマー粒子を土壌に混入して保水性をもたせたものもある。しかし、自然の降雨のみの雨水でメンテナンスフリーに保持するためには、土壌に混入する吸水性ポリマー粒子の量を最適にすること、および、擁壁ブロックやコンテナーやポットやバスケットなどの容器に簡単に設置でき、さらに既存のこれらの設備に容易に後から配設することが出来る構造とした吸水性ポリマーが求められていた。
【０００３】
【発明が解決しようとする課題】
本発明が解決しようとする課題は、上記のように道路に沿って植栽されている街路樹、分離帯に植栽されている樹木や高速道路の脇の法面を保護する擁壁に植栽されている修景用の樹木、あるいは歩道や公園あるいは家庭の緑化にコンテナーやポットやバスケットなどの容器で植栽されている樹木や草花など地中から十分に水分が供給されにくい植栽の根元の土壌に対する保水性を、簡単な施工で改良することができ、給水の必要を減らしてメンテナンスフリー化を容易に図ることができ、かつ、既存の施設にも容易に後から付加することができる吸水性ポリマーを有する構造体を提供し、管理者の作業時間を軽減し、かつ、管理コストを下げて負担を軽減することを目的としている。
【０００４】
【課題を解決するための手段】
上記の課題を解決するための本発明の手段は、請求項１の発明では、道路側部傾斜面または河川の堤防などの前面に配設した控壁１７を有する擁壁ブロック１６の壁体を有する閉空間内に植物の根元株の植栽域７を確保して該植栽域７に隣接して透水シート１からなる袋体を配設し、該袋体内全域に吸水性ポリマー粒子２を分散配置する３次元網状体あるいは連続空隙を有する発泡体からなる芯材３を装着し、該芯材３の３次元網状体内あるいは発泡体の連続空隙内に吸水性ポリマー粒子２を分散配置してユニット体４としたことを特徴とする植栽の保水構造体である。
【０００５】
請求項２の発明では、ユニット体４は、マット状体１２またはブロック状体１３に形成されて擁壁ブロック１６の壁体を有する閉空間の該壁体の一壁面と対偶する他の壁面に配設されることを特徴とする請求項１の手段の植栽の保水構造体である。
【０００６】
上記の各手段の作用について説明する。請求項１に係る発明について説明すると、吸水性ポリマー粒子２は吸水することにより膨潤してその体積の２００〜１０００倍近くの水を吸水して保水できる。この吸水性ポリマー粒子２を３次元網状体からなる芯材３あるいは連続空隙を有する発泡体からなる芯材３、例えばヘチマロン（商品名）、の空隙部分に分散配置して芯材３の広がりのある空間全体内で保水できるものとして吸水性ポリマー粒子２の吸水および保水機能が最も効率よく発揮できるものとし、さらに、乾燥時にも吸水性ポリマー粒子２は３次元網状体の芯材３の各空隙部分に分散配置され、下方に溜まることはない構造のユニット体４に透水シート１の袋体から構成しているものである。
【０００７】
特にこのユニット体４を配設する擁壁ブロック１６の壁面は、道路側部傾斜面または河川の堤防などの前面に配設した控壁を有する擁壁ブロック１６の壁体を形成する壁面であるので、その壁面も直接大地に接していない。しかし、請求項２の手段のマット状体１２またはブロック状体１３のユニット体４を配設することで吸水および給水機能を容器などの植栽域７の領域を狭めることなくこの植栽域７に与えることができる。
【０００８】
さらにこの吸水性ポリマー粒子２を分散配置した芯材３を透水シート１からなる袋体に収納しているので、袋体全体が吸水機能を有することとなる。すなわち、この透水シート１の部分が植栽域７の土壌に面で接することで吸水性ポリマー粒子２から植栽域７へ水分、湿気を直接供給して、雨水１４などを単なる土壌よりも透水シート１は早く土壌に浸透させる。そして透水シート１は吸水性ポリマー粒子２が膨張しても、破れてしまわないものである。以上のように、降雨あるいは水やりにより吸水性ポリマー粒子２は吸水かつ保水する。またさらに袋体が透水シート１であるので、袋体の全表面から吸水および給水を行うことができる。従って、この吸水性ポリマー粒子２を分散配置した袋体からなるユニット体４に隣接した区域を植栽域７とすることで、常に植栽域７に水分の供給が期待されにくい容器１１などの閉空間のものであっても、その容器１１などの閉空間内の植栽区域に隣接して本発明に係るユニット体４が極めて容易に配置でき施工が極めて容易である。そして常にユニット体４の吸水および給水作用により容器の閉空間内の植栽域７の根元の水分が適切に維持されることとなる。
【０００９】
請求項２に係る発明の作用について説明すると、ユニット体４はマット状体１２またはブロック状体１３に形成されているのでマット状体１２の場合は厚みがそれほど厚くなく、また図２に示すようにブロック状体１３に形成されている場合でも擁壁ブロック１６の壁体の他の側面である一側面側に邪魔にならないで配設することができる。
【００１０】
以上のように、本発明におけるユニット体４は種々の作用を有する。すなわち、換言すると、植栽土が乾燥しはじめてから徐々に水分を植栽土に供給する。これに反し、植栽土が過湿状態では、ユニット体４は植栽土から吸水して植栽土の過湿を改善する。ユニット体４の容積のほとんどが保水容積になる。土との接触面全体から吸水および給水できるので吸水および給水ムラが少ない。保水構造がオールインワン構造となり単純な構成で、マット状体１２あるいはブロック状体１３の形状と大きさで自由に配設可能である。さらにユニット体４はどんな容器１１にも後から適用できる。ユニット体４或いは透水シート１の一部を地表に露出させることで、雨水が他に流れ出す前に保水することができるなどの作用を本発明におけるユニット体４は効率良く行うことができる。
【００１１】
【発明の実施の形態】
本発明の実施の形態を図面を参照して説明する。図１は本発明の吸水性ポリマー粒子を分散配置した３次元網状体の芯材を透水シートの袋体に収納してユニット体を一部省略して示す模式的断面図で、（ａ）は乾燥状態にある吸水性ポリマー粒子、（ｂ）は膨潤状態にある吸水性ポリマー粒子ある。図２はユニット体が厚みのあるブロック状体として容器状の擁壁ブロックの背後の法面側に配置された様子を示す模式的断面図である。図３はユニット体がブロック状体として樹木を除外して示す図２に示す植栽可能な擁壁ブロックの一壁面側に配置された様子を示す模式的平面図である。
【００１２】
図１に示す実施の形態では、本発明における吸水性のユニット体４は不織布などからなる透水シート１からなる袋体と、この透水シート１の袋体の中に芯材３を装入する。この芯材３は３次元の空隙部を多数有する網状体からなるものとする。これはプラスチックの細い棒からなる曲状体をからませて３次元構造としたもので通常ヘチマロン（商品名）というろ過材などとして知られるものである。もちろんこのものに限ることなく、吸水性ポリマー粒子２を３次元構造の網状体あるいは連続空隙を有する発泡体に絡ませて分散配置できるものであれば限定されるものではない。例えば、棕櫚やジュートなどの天然繊維の空隙部に分散分散させ、３次元の網状体に積層した構造のろ過材などが適用できる。このものは耐久性が高いが天然繊維であるので、最終的には自然に分解されるので環境に優しい。
【００１３】
なお、３次元構造の網状体の芯材３に分散配置する吸水性ポリマー粒子２は、機能性ポリマーとして熟知されるもので、水を吸い込んで数１００倍から１０００倍以上にも膨潤してゲルとなるものであり吸水、徐放を繰り返す。このものは、例えば、ＫＩゲルとして商品化されている。
【００１４】
図１の（ａ）は乾燥状態の吸水性ポリマー粒子２を３次元構造の網状体の芯材３に分散配置して透水シート１の袋体に収納されたユニット体４を示し、（ｂ）は吸水により膨潤したゲル状の吸水性ポリマー粒子２を３次元構造の網状体の芯材３に分散配置した透水シート１の袋体をからなるユニット体４を示している。
【００１５】
図２に示す実施の形態は、法面６側に控壁１７を有する容器状の擁壁ブロック１６とし、ユニット体４をマット状体１２に代えてブロック状体１３として植栽可能としたものである。植栽可能な擁壁ブロック１６の上段側の法面には積ブロック５を積むことができる。この図２の場合は吸水性のユニット体４のブロック状体１３の背後が控壁１７であるので、背面から土壌中の水分を吸水することができない。そこで、降雨時の雨水１４を十分に保水できるようにユニット体４を肉厚のブロック状体１３とするものであり、十分な量の水を保水でき、樹木８の根元９に徐放による給水１０を行うことができる。このようにすることで、擁壁ブロックが容器状のものであっても保水機能が大きくメンテナンスフリーとすることができる。
【００１６】
樹木８を除外して示す図２の植栽可能な擁壁ブロック１６の一壁面側に配置された様子を示す模式的平面図の一例である。
【００１７】
【発明の効果】
以上説明したように、従来、高速道路の分離帯や道路脇の法面の擁壁に植栽されている修景用の樹木や草花などに対して、乾燥時に萎れないように行う水やりの管理を容易にしてメンテナンスフリーとするためのもので、保水のために用いられていた植栽用の土壌中に単に配合する保水のための吸水性ポリマー粒子の混入方法に代えて、本発明の植栽の保水構造体は、吸水性ポリマー粒子を３次元構造の網状体の芯材の空隙中に分散配置し、この吸水性ポリマー粒子を分散配置した芯材を透水シートからなる袋に装入してユニット体としたことで、擁壁ブロックによる道路脇や堤防などの法面の植栽した擁壁において、樹木や草花などの植栽の根元の土壌の植栽域とは独立して吸水および補水機能のある保水構造体を設置するので、従来、すでに植栽されている樹木の根元を壊すことなく、容易にメンテナンスフリー化可能であり、さらに新たに擁壁ブロックを施工して植栽した場合にも、保水性のユニット体を植栽域に隣接して配置するのみで良いので、従来の、単に吸水性ポリマー粒子を植栽域の土壌中に混入する場合に必要な配合割合など、熟練を要することなく、容易に設置して、メンテナンスフリー化を図ることができ、この結果、本発明の保水構造体を使用した植栽した擁壁あるいは容器は、その施工に労力と熟練を要せず、さらにコストを低下することができ、さらに施工後の管理を容易とするもので、従来にない優れた効果を本願の発明は奏するものである。
【図面の簡単な説明】
【図１】  本発明の吸水性ポリマー粒子を分散配置した３次元網状体の芯材を透水シートの袋体に収納してユニット体を一部省略して示す模式的断面図で、（ａ）は乾燥状態にある吸水性ポリマー粒子、（ｂ）は膨潤状態にある吸水性ポリマー粒子である。
【図２】  ユニット体が厚みのあるブロック状体として容器状の擁壁ブロックの背後の法面側の壁面に配置された様子を示す模式的断面図である。
【図３】  ユニット体がブロック状体として樹木を除外して示す図２に示す植栽可能な擁壁ブロックの一壁面側に配置された様子を示す模式的平面図である。
た様子を示す模式的断面図である。
【符号の説明】
１  透水シート
２  吸水性ポリマー粒子
３  芯材
４  ユニット体
５  積ブロック
６  法面
７  植栽域
８  樹木
９  根元
１０  給水
１１  容器
１２  マット状体
１３  ブロック状体
１４  雨水
１６  擁壁ブロック
１７  控壁
【図１】
0003660607.tif 000002
【図２】
0003660607.tif 000003
【図３】
0003660607.tif 000004